(57)【特許請求の範囲】
【請求項１】
主光源部と、
内部に放電灯が収容されたランプケースと、該ランプケースの外側に突出して設けられた一対の電極とを有する略円板状ランプが電気的に接続される副光源部とを備え、
前記副光源部は、前記略円板状ランプを装着するためのソケットを有し、
前記ソケットは、前記略円板状ランプの前記ランプケースに設けられた位置決め凸部が挿入される位置決め凹部と、該位置決め凹部を挟んで対向する位置に配置され前記略円板状ランプの前記一対の電極が係合されて電気的に接続される一対の係合溝とを有している照明装置。
【請求項２】
前記主光源部には、管状蛍光ランプが電気的に接続される請求項１に記載の照明装置。
【請求項３】
前記主光源部には、白熱ランプが電気的に接続される請求項１に記載の照明装置。
【請求項４】
前記主光源部の外周側には、複数の前記副光源部が配置されている請求項１ないし３のいずれか１項に記載の照明装置。
【請求項５】
前記主光源部および前記副光源部は、前記ランプを覆う保護カバーを有している請求項２ないし４のいずれか１項に記載の照明装置。
【請求項６】
前記副光源部は、前記主光源部に接続される円環状をなす前記管状蛍光ランプの内周側中央部に配置されている請求項２に記載の照明装置。
【発明の詳細な説明】
【技術分野】
【０００１】
本発明は、複数種の光源部を備える照明装置に関する。
【背景技術】
【０００２】
従来の照明装置としては、多種多様な照明光を得るために、照明光が異なる主光源部と、副光源部とを備えるものが知られている。
【０００３】
この種の照明装置としては、白熱ランプや蛍光ランプを有する主光源部と、発光ダイオード（ＬＥＤ）を有する副光源部とを備えるものが提案されている（例えば、特許文献１参照。）。
【特許文献１】特開２００５−１２９４２６号公報
【発明の開示】
【発明が解決しようとする課題】
【０００４】
しかしながら、上述した従来の照明装置において、副光源部がＬＥＤを有する構成では、ＬＥＤによる照度が十分に得られず、主光源部と副光源部とによる照明光の多様性を十分に実現することが困難であった。また、副光源部がＬＥＤによって十分な照度を得ようとする場合には、多数のＬＥＤが必要になり、副光源部の大型化や製造コストが嵩むという不都合を招いてしまう。
【０００５】
また、従来の照明装置において、副光源部としてハロゲンランプ等の白熱灯を有する構成では、白熱灯の寿命が比較的短く、また消費電力が嵩んでしまう不都合がある。
【０００６】
そこで、本発明は、複数種の光源部による照明光の多様性を図り、副光源部による照度を良好に得ることができる照明装置を提供することを目的とする。
【課題を解決するための手段】
【０００７】
上述した目的を達成するため、本発明に係る照明装置は、主光源部と、内部に放電灯が収容されたランプケースとこのランプケースの外側に突出して設けられた一対の電極とを有する略円板状ランプが電気的に接続される副光源部とを備える。副光源部は、略円板状ランプを装着するためのソケットを有する。ソケットは、略円板状ランプのランプケースに設けられた位置決め凸部が挿入される位置決め凹部と、この位置決め凹部を挟んで対向する位置に配置され略円板状ランプの一対の電極が係合されて電気的に接続される一対の係合溝とを有している。
【０００８】
以上のように構成した本発明に係る照明装置によれば、略円板状ランプが接続されるソケットを有する副光源部を備えることで、照明光による多様な照明状態を得るとともに、副光源部による照度が、従来のＬＥＤを用いる構成よりも充分に得られる。
【発明の効果】
【０００９】
上述したように本発明に係る照明装置によれば、複数種の光源部によって多様な照明光を得るとともに、副光源部による照度を良好に得ることができる。
【発明を実施するための最良の形態】
【００１０】
以下、本発明の具体的な実施形態について、図面を参照して説明する。
【００１１】
図１に示すように、照明装置１は、管状蛍光ランプ３が電気的に接続される主光源部６と、内部に放電灯が収容された円板状ランプ４が電気的に接続される副光源部７と、これら各光源部６，７を支持する支持基台８とを備えている。
【００１２】
主光源部６は、支持基台８の中央部に配置されており、円環状をなす管状蛍光ランプ３の電極端子部（不図示）に差し込まれて電気的に接続するためのソケット（不図示）を有している。また、主光源部６には、管状蛍光ランプ３を覆うグローブである保護カバー１１が設けられている。なお、主光源部６には、管状蛍光ランプ３の代わりに白熱ランプ（不図示）が用いられてもよい。
【００１３】
ここで、副光源部７に装着される円板状ランプ４について説明する。図２および図３に示すように、円板状ランプ４は、巻回された蛍光管２１と、この蛍光管２１が内部に収容されるランプケース２２と、蛍光管２１に電気的に接続された一組の電極ピン２３とを有している。なお、この円板状ランプ４は、主に間接照明用の光源として実用化されている。
【００１４】
ランプケース２２は、照明光を出射する光透過性を有する発光側ケース２２ａと、副光源部６の後述するソケット１５に取り付けられるベース側ケース２２ｂとが組み合わされて略円板状に構成されている。
【００１５】
ベース側ケース２２ｂの底面側には、副光源部７に対して位置決めするための円柱状の位置決め凸部２５が一体に形成されている。各電極ピン２３は、位置決め凸部２５を挟んで対向する位置に配置されている。また、ランプケース２２内には、蛍光管２１を点灯制御するための回路部２６が設けられている。
【００１６】
上述した円板状ランプ４が電気的に接続される各副光源部７は、主光源部６の外周側の４箇所に配置されており、円板状ランプ４を装着するためのソケット１５（ＮＥＣライティング社製：ＧＸ−５３）を有している。また、副光源部７には、円板状ランプ４を覆う保護カバー１２が設けられている。
【００１７】
ソケット１５には、円板状ランプ４の位置決め凸部２５が挿入される円形状の位置決め凹部３１が形成されている。また、ソケット１５には、位置決め凹部３１を挟んで対向する位置に、円板状ランプ４の各電極ピン２３がそれぞれ係合される一組の円弧状の係合溝３２が設けられている。
【００１８】
円板状ランプ４をソケット１５に装着する際には、円板状ランプ４の電極ピン２３を係合溝３２内に挿入し、円板状ランプ４を係合溝３２に沿って回転させることで、各電極ピン２３が係合溝３２に係合されて電気的に接続され、円板状ランプ４がソケット１５に支持される。
【００１９】
なお、本実施形態では、円板状ランプ４として、ランプケース２２の発光側ケース２２ａが平坦面に形成されたものが使用されたが、外方側に向かって膨出された形状に形成されたものが用いられてもよい。
【００２０】
また、副光源部７は、必要に応じて、図１に示すように、主光源部６の円環状の管状蛍光ランプ３の内周側中央部に配置されてもよく、いわゆる保安球として使用することが可能にされる。
【００２１】
また、図示しないが、照明装置１の支持基台８には、主光源部６に装着された管状蛍光ランプ３および副光源部７に装着された円板状ランプ４を点灯制御するためのインバータ回路等の制御回路部が設けられている。
【００２２】
以上のように構成された照明装置１について、主光源部６および副光源部７による各種照明状態を説明する。
【００２３】
照明装置１は、例えば赤外線方式のリモートコントローラ（不図示）を操作することで、点灯状態を、主光源部６のみの点灯状態、副光源部７のみの点灯状態、主光源部６および副光源部７の両方の点灯状態とにそれぞれ切り替えることが可能にされている。
【００２４】
照明装置１は、主光源部６および副光源部７をそれぞれ点灯させた状態で、主光源部６の管状蛍光ランプ３による比較的照度が高い照明光が得られるとともに、各副光源部７の平板状ランプ４による比較的照度が低い照明光が得られる。そして、各副光源部７のみを点灯させた状態では、例えばシアタールームのような比較的照度を低くした環境を容易に実現することができる。
【００２５】
また、主光源部６および各副光源部７は、独立して、照度を多段階または無段階で調光することが可能にされている。また、照明装置１は、各副光源部７の点灯状態を、例えば４つ点灯から２つ点灯に切り替えるような減灯を行うことが可能にされており、主光源部６を消灯させた状態で各副光源部７の点灯状態を切り替えることで、副光源部７を、いわゆる保安球として使用することが可能にされている。
【００２６】
以上のように照明装置１は、主光源部６および副光源部７の照明状態を適宜切り替えて調光することで、多様な照明光を得ることが可能にされている。
【００２７】
また、照明装置１は、例えば、リモートコントローラで防犯モードに切り替えることで、制御回路部を介して、主光源部６および副光源部７による点滅やフラッシュが行われるように構成されており、防犯性を高めることが可能にされている。
【００２８】
上述したように、照明装置１は、副光源部７が、円板状ランプ４が装着されるソケット１５を有することによって、主光源部６と副光源部７とによって多様な照明光の状態が得られるとともに、副光源部７による良好な照明状態を得ることができる。
【図面の簡単な説明】
【００２９】
【図１】本実施形態に係る照明装置を示す斜視図である。
【図２】前記照明装置の副光源部を示す分解斜視図である。
【図３】円板状ランプを説明するための図である。
【図４】副光源部が有するソケットを示す図である。
【符号の説明】
【００３０】
１  照明装置
３  管状蛍光ランプ
４  円板状ランプ
６  主光源部
７  副光源部
１１，１２  保護カバー
１５  ソケット
２１  蛍光管
２３  電極
２５  位置決め凸部
３１  位置決め凹部
３２  係合溝
【図１】
0004511998.tif 000002
【図２】
0004511998.tif 000003
【図３】
0004511998.tif 000004
【図４】
0004511998.tif 000005